(57)【要約】      （修正有）【課題】包装用容器を密封でき、隅部を折り上げて包装用容器から容易に取外すことのでき、隅部を折り上げても、その後手を離せば隅部が元の状態に戻って再度密封でき、複数の突起を設けた包装用容器の内容器を密封でき、複数の包装用容器を積み重ねられる包装用容器の蓋を提供する。【解決手段】包装用容器の蓋は、包装用容器の上縁を覆う周縁部１０、下降壁部１１、側面部１２、上面部１３及び四隅に形成されている拡大周縁部１５を有し、拡大周縁部１５は、弧状の辺１４、内容器の突起を収容可能な凸部１６、２つの凸条部１７、１８及び平坦面１９を有し、弧状の辺１４を延長した延長線は２つの凸条部１７、１８と交差している。【選択図】図４
0003233023.tif 000002
【実用新案登録請求の範囲】
【請求項１】
上面が多角形状の包装用容器を覆う蓋であって、
前記蓋の周辺部は、前記包装用容器の上縁を覆うように形成されている周縁部と、該周縁部の内側に形成されている下降壁部を有し、
前記蓋の少なくとも一つの隅角部に形成される周縁部は、中央部に向かって広がっているとともに、内側に両側部を結ぶ弧状又は直線状の辺を有する拡大周縁部となっており、
該拡大周縁部の前記両側部付近には、それぞれ前記上縁を覆う部分に沿って凸条部が設けられており、
前記弧状又は直線状の辺を延長した延長線は、前記凸条部と交差している
ことを特徴とする包装用容器の蓋。
【請求項２】
前記拡大周縁部の外縁には、前記蓋で前記包装用容器を覆ったときに、前記上縁の外側、下側及び上側のいずれかに突出する指掛け部が設けられている
ことを特徴とする請求項１記載の包装用容器の蓋。
【請求項３】
前記包装用容器は、内容器及び枠材を備えており、
前記内容器の上縁部には、外側に広がり前記枠材の上端部に当接する外縁部が設けてあり、
前記上縁部の隅角部の内側には、上方に突出する突起が設けてあり、
前記枠材は、前記内容器を収容可能であり、
前記蓋の隅角部には、前記拡大周縁部が形成されており、
前記拡大周縁部の上面には、前記突起を収容可能な凸部及び平坦面が設けてあり、
前記枠材は、前記平坦面の上に載置可能である
ことを特徴とする請求項１又は２記載の包装用容器。
【考案の詳細な説明】
【技術分野】
【０００１】
本考案は、主として、丼物、パスタ、各種惣菜などの食品や各種の物品を収納するために利用される包装用容器の上部を塞ぐ蓋に関する。
【背景技術】
【０００２】
このような包装用容器の蓋としては、一体成形した薄いプラスチック製のものが広く用いられており、特許文献１（実公昭５７−２３１０号公報）及び特許文献２（実開平４−１２８２５４号公報）には、容器の縁に嵌まる周縁部を有する蓋において、隅角部に摘み片や延長部を設けるとともに、薄肉の直線状ヒンジ部や凹入部等を形成することで、蓋の隅部が折り上げ易くなることや、蓋が取外し易くなることについて開示されている（特に、特許文献１の第１図、第３図、第１頁右欄第２５〜３５行及び第２頁左欄第５〜１１行並びに特許文献２の図１及び段落０００７〜００１０を参照）。
また、本出願人は、展開した枠材の上方から、食品収納用凹部を形成した薄いプラスチック材からなる内容器を落し込み、内容器の外縁部を枠材の上端部に係止して組み立てることのできる食品包装用容器を開発したが、特許文献３（実用新案登録第３２００７７６号公報）に記載されているように、内容器の上縁部に外縁部及び複数の突起を設けて、食品包装用容器を上下に積み重ね易くする工夫や、内容器の上面形状と同じ形状である平板状の蓋の下面に複数の突起を収容可能な凹部を設けて、内容器の上面を覆ったときに蓋がずれにくくする工夫等を提案している（特に要約を参照）。
【０００３】
ところが、特許文献１及び２に開示されている包装容器の蓋は、隅部が折り上げ易く、容器から取外し易いものではあるが、一度蓋の隅部を折り上げると、その隅部は元の状態に戻りにくくなるという問題があり、特許文献１に開示されている包装容器は、容器周縁の隅角部に挿入孔が凹設してあるため、容器内を密封できないという問題があった。
また、特許文献３の蓋は平板状であるため、内容器を密封することができなかった。
【先行技術文献】
【特許文献】
【０００４】
【特許文献１】実公昭５７−２３１０号公報（実開昭５１−１０１０１号公報）
【特許文献２】実開平４−１２８２５４号公報
【特許文献３】実用新案登録第３２００７７６号公報
【考案の概要】
【考案が解決しようとする課題】
【０００５】
本考案の課題は上記の問題を解決し、包装用容器を密封でき、かつ、隅部を折り上げて包装用容器から容易に取外すことのできる蓋において、蓋の隅部を折り上げても、その後手を離せば隅部が元の状態に戻り包装用容器を再度密封できるようにすることを第１の課題としている。
また、特許文献３に記載されているような上縁部に外縁部及び複数の突起を設けた内容器を密封することができ、かつ、蓋をしたまま複数の包装用容器を積み重ねられるようにすることを第２の課題としている。
【課題を解決するための手段】
【０００６】
請求項１に係る考案の包装用容器の蓋は、
上面が多角形状の包装用容器を覆う蓋であって、
前記蓋の周辺部は、前記包装用容器の上縁を覆うように形成されている周縁部と、該周縁部の内側に形成されている下降壁部を有し、
前記蓋の少なくとも一つの隅角部に形成される周縁部は、中央部に向かって広がっているとともに、内側に両側部を結ぶ弧状又は直線状の辺を有する拡大周縁部となっており、
該拡大周縁部の前記両側部付近には、それぞれ前記上縁を覆う部分に沿って凸条部が設けられており、
前記弧状又は直線状の辺を延長した延長線は、前記凸条部と交差していることを特徴とする。
【０００７】
請求項２に係る考案の包装用容器の蓋は、
請求項１に記載されている包装用容器の蓋において、
前記拡大周縁部の外縁には、前記蓋で前記包装用容器を覆ったときに、前記上縁の外側、下側及び上側のいずれかに突出する指掛け部が設けられていることを特徴とする。
【０００８】
請求項３に係る考案の包装用容器の蓋は、
請求項１又は２記載の包装用容器の蓋において、
前記包装用容器は、内容器及び枠材を備えており、
前記内容器の上縁部には、外側に広がり前記枠材の上端部に当接する外縁部が設けてあり、
前記上縁部の隅角部の内側には、上方に突出する突起が設けてあり、
前記枠材は、前記内容器を収容可能であり、
前記蓋の隅角部には、前記拡大周縁部が形成されており、
前記拡大周縁部の上面には、前記突起を収容可能な凸部及び平坦面が設けてあり、
前記枠材は、前記平坦面の上に載置可能であることを特徴とする。
【考案の効果】
【０００９】
請求項１に係る考案の包装用容器の蓋は、少なくとも一つの隅角部に形成される拡大周縁部の内側に両側部を結ぶ弧状又は直線状の辺を有しているので、拡大周縁部の隅を上方に持ち上げると、弧状又は直線状の辺の下方にある下降壁部の下端に沿って拡大周縁部が折れ曲がるので、折れ曲がった拡大周縁部をつかんで蓋を容易に取外すことができる。
また、拡大周縁部の両側部付近には、それぞれ包装用容器の上縁を覆う部分に沿って凸条部が設けられており、弧状又は直線状の辺を延長した延長線は凸条部と交差しているので、弧状又は直線状の辺の下方にある下降壁部の下端に沿って拡大周縁部が折れ曲がったときに、凸条部も延長線と交差する部分で折れ曲がる。しかし、樋状に形成されている凸条部は元の形状に戻ろうとするため、拡大周縁部の隅を上方に持ち上げ、蓋の隅部を折り上げても、その後手を離せば拡大周縁部は元の状態に戻る。
そのため、蓋の隅部を折り上げても、その後手を離したり蓋を包装用容器から取外したりした後においては、隅部が元に戻り包装用容器を再度密封できる状態となる。
【００１０】
請求項２に係る考案によれば、請求項１に係る考案の蓋による効果に加えて、拡大周縁部の外縁に、蓋で包装用容器を覆ったときに上縁の外側、下側及び上側のいずれかに突出する指掛け部が設けられているので、拡大周縁部の隅を上方に持ち上げ易くなる。
【００１１】
請求項３に係る考案によれば、請求項１又は２に係る考案の蓋による効果に加えて、包装用容器は内容器及び枠材を備えており、内容器の上縁部には外側に広がり枠材の上端部に当接する外縁部が設けてあり、上縁部の隅角部の内側には上方に突出する突起が設けてあり、拡大周縁部の上面には突起を収容可能な凸部及び平坦面が設けてあり、枠材は平坦面の上に載置可能であるので、請求項３に係る考案の蓋を被せるだけで、上縁部に外縁部及び複数の突起を設けた内容器を密封することができ、かつ、蓋をしたまま複数の包装用容器を積み重ねることができる。
【図面の簡単な説明】
【００１２】
【図１】実施例に係る包装用容器の蓋の斜視図。
【図２】実施例に係る包装用容器の斜視図。
【図３】実施例に係る包装用容器の蓋の隅角部の平面図。
【図４】実施例に係る包装用容器の蓋の隅角部の斜視図。
【図５】図４の隅角部を折り上げた状態の斜視図。
【図６】各種変形例に係る包装用容器の蓋の隅角部の平面図。
【考案を実施するための形態】
【００１３】
以下、実施例によって本考案の実施形態を説明する。
【実施例】
【００１４】
図１は実施例に係る包装用容器の蓋１の斜視図であり、図２は実施例に係る包装用容器２の斜視図である。また、図３及び図４は、それぞれ実施例に係る包装用容器の蓋１の隅角部５の平面図及び斜視図である。
実施例に係る包装用容器の蓋１は、図１に示すように透明な薄いプラスチック製であり、図２に示す包装用容器２の上部を塞ぐことができる。
包装用容器２は、折り畳み可能で開いた時に直方体状となる枠材３と、薄いプラスチック製で一体成形により作製された内容器４からなり、図２に示すように、直方体状とした枠材３の上方から内容器４を落とし込み、枠材３の上端部に内容器４の上縁部に設けられている外縁部５を被せることによって組み立てられるようになっている。
【００１５】
枠材３は、発泡プラスチックの板４枚を環状に接続したものであり、開いた状態では図２に示すように直方体状となり、閉じた状態では対向する内面同士が密着し、発泡プラスチックの板を２枚重ねた状態にすることが可能となっている。
また、枠材３の内側には上端部に沿って溝条（図示せず）が設けてある。
【００１６】
内容器４は、大きな収納用凹部６と、小さな収納用凹部７を有している。
そして、内容器４の外縁部５は外側に広がり下方に折れ曲がっており、内容器４の側壁の上部と外縁部５との間に枠材３の上端部が嵌合する。また、内容器４の上部の外側には上縁部に沿って突条８が設けてあり枠材３の内側に設けてある溝条に係合する。そのため、包装用容器２を組み立てた後は、枠材３と内容器４が分離しにくくなる。
さらに、内容器４の上縁部の隅角部の内側には、上方に突出する突起９が設けてあり、包装用容器２を積み重ねると、上方にある枠材３の下端面は下方にある外縁部５の上面に載置されるとともに、４つの突起９は上方にある枠材３の四隅の内側に位置するので、上下の包装用容器２のずれを抑えることができる。
【００１７】
次に、包装用容器の蓋１について詳しく説明する。
蓋１は包装用容器２の上部全部を塞いで内容器４の内部を密封できるようにするため、包装用容器２の上縁を覆うことのできる周縁部１０と、周縁部１０の内側に形成されている下降壁部１１を有するとともに、蓋１の中央部には、包装用容器２の上面を覆うことのできる側面部１２と上面部１３を有している。
また、蓋１の４つの隅角部には、中央部に向かって広がっているとともに、内側に両側部を結ぶ弧状の辺１４を有する拡大周縁部１５が形成されている。
さらに、図３及び図４に示すように、拡大周縁部１５の中央部には、突起９を収容可能な凸部１６が設けてあり、拡大周縁部１５の両側部付近には、それぞれ包装用容器２の上縁を覆う部分に沿って、２つの凸条部１７、１８が設けてあり、凸部１６の外周側には、枠材３の下端面を載置することができ２つの凸条部１７、１８以上の高さを有する平坦面１９が設けてあり、拡大周縁部１５の外縁は、蓋１で包装用容器２を覆ったときに上縁より外側に突出しているとともに、上下両面に細かい凹凸加工（ローレット加工）が施されている。
そして、弧状の辺１４を延長した延長線は２つの凸条部１７、１８と交差している。
【００１８】
拡大周縁部１５は上記のように構成されているので、蓋１を包装用容器２の上面に被せると、突起９が凸部１６に収容され、周縁部１０及び拡大周縁部１５の外縁によって、包装用容器２の上縁が覆われるとともに、下降壁部１１が内容器４の側壁内面に押し込まれる。そのため、蓋１によって内容器４の内部を密封することができる。
また、拡大周縁部１５の外縁は上縁より外側に突出しているので、利用者の指を掛けることのできる指掛け部として機能し、さらに、同外縁にはローレット加工が施されているので、利用者が指を掛けた時に指先が切れてしまう事故を防止できる。
そして、拡大周縁部１５の隅を上方に持ち上げると、図５に示すように、拡大周縁部１５は弧状の辺１４の下方にある下降壁部１１の下端に沿って折れ曲がるので、折り上がった蓋１の隅部をつかんで蓋１を包装用容器２から容易に取外すことができる。
【００１９】
ところで、拡大周縁部１５の隅を上方に持ち上げると、拡大周縁部１５が弧状の辺１４の下方にある下降壁部１１の下端に沿って折れ曲がるとともに、２つの凸条部１７、１８も中間部で折れ曲がるが、樋状に形成されている２つの凸条部１７、１８は元の形状に戻ろうとするため、蓋１の隅部を折り上げても、その後手を離せば拡大周縁部１５は元の状態（図４に示す状態）に戻り、戻った後は折れ曲がっていた部分が弧状及び樋状となっているため、元の形状が保持される。
すなわち、蓋１を折り上げたり取外したりした後に、蓋１の隅部から手を離せば拡大周縁部１５は元の状態に戻り、かつ、一度蓋１の隅部を折り上げた後においても元の形状が保持されるので、蓋１を用いて内容器４の内部を再度容易に密封することができる。
また、凸部１６の外周側には、枠材３の下端面を載置することのできる平坦面１９が設けてあるので、４つの平坦面１９に枠材３の四隅の下端面を載置することによって、蓋１をした状態で複数の包装用容器２を積み重ねることができ、かつ、積み重ねた状態においては下方にある蓋１の凸部１６が上方にある枠材３の四隅の内側に位置するので、上下の包装用容器２のずれを抑えることができる。
【００２０】
実施例の変形例を列記する。
（１）実施例の包装用容器２は直方体状となっているが、直方体状に限らず上面が多角形状のものであっても良い。
（２）実施例の包装用容器２は、枠材３の上端部に内容器４の外縁部５を被せることによって組み立てられるようになっているが、組み立て式でなくても良く、枠材３を有していなくても良い。
（３）実施例の内容器４は、一体成形により作製された薄いプラスチック製のものであるが、プラスチック製に限らず紙製のものであっても良い。
（４）実施例の内容器４は、大きな収納用凹部６と、小さな収納用凹部７を有しているが、収納用凹部の大きさや配置はこの例に限らず適宜選択可能である。
（５）実施例においては、内容器４の外縁部５が外側に広がり下方に折れ曲がっていたが、下方に折れ曲がっていなくても良く、枠材３の上端部に当接して内容器４が枠材３の内側に落ち込まないようにすることができれば、外縁部５はどのような構造でも良い。
（６）実施例においては、内容器４に突条８を設け、枠材３に溝条を設けたが、これらは設けなくても良い。
（７）実施例においては、突起９を内容器４の四隅の内側に設けたが、突起９を対角線上に位置する２箇所に設けても良く、積み重ねる必要がない場合や枠材３を用いない場合等には突起９を設けなくても良い。
【００２１】
（８）実施例の蓋１は、透明な薄いプラスチック製であり、中央部に側面部１２と上面部１３を有していたが、透明でなくても良く、成型された状態で折れ曲がり、かつ、復元できる弾力性を有しているものであれば材質は何でも良い。また、中央部の構造は包装用容器２の上面を覆うことができれば、どのような構造であっても良い。
（９）実施例の蓋１には、４つの隅角部に拡大周縁部１５が形成されていたが、蓋をした状態で包装用容器２を積み重ねる必要が無ければ、１つの隅角部だけに形成されていても良く、少なくとも一つの隅角部に拡大周縁部１５が形成されていれば良い。
（１０）実施例の拡大周縁部１５には、弧状の辺１４及び突起９を収容可能な凸部１６が設けてあったが、２つの凸条部１７、１８が元の形状を保持する機能を有しているので、図６（１）に示すように、弧状の辺１４に代えて直線状の辺１４’としても良い。
また、上記変形例（７）のように、突起９を設けていない隅角部に形成される拡大周縁部１５の場合、図６（２）及び（３）に示すように、凸部１６が設けられていない拡大周縁部１５’としても良い。
さらに、上記変形例（９）のように、蓋をした状態で包装用容器２を積み重ねる必要が無ければ、拡大周縁部は、図６（２）又は（３）に示す拡大周縁部１５’から平坦部１９を省いたものとしても良い。
（１１）実施例の拡大周縁部１５の外縁は、蓋１で包装用容器２を覆ったときに、上縁より外側に突出する指掛け部が設けられていたが、指掛け部は外縁部５の下側又は上側に突出していても良く、指掛け部を設けなくても良い。
なお、指掛け部を外縁部５の下側又は上側に突出させる場合は、弧状の辺１４の延長線が２つの凸条部１７、１８と交差する箇所にかからないようにする必要がある。
（１２）実施例の拡大周縁部１５の外縁には、ローレット加工が施されていたが、ローレット加工は蓋１の周縁部１０全体に施しても良く、全く施さなくても良い。
【符号の説明】
【００２２】
１  蓋      ２  包装用容器      ３  枠材      ４  内容器
５  外縁部      ６  大きな収納用凹部      ７  小さな収納用凹部
８  突条      ９  突起      １０  周縁部      １１  下降壁部
１２  側面部      １３  上面部      １４  弧状の辺      １５  拡大周縁部
１６  凸部      １７、１８  凸条部      １９  平坦面
【図１】
0003233023.tif 000003
【図２】
0003233023.tif 000004
【図３】
0003233023.tif 000005
【図４】
0003233023.tif 000006
【図５】
0003233023.tif 000007
【図６】
0003233023.tif 000008
【手続補正書】
【提出日】令和3年5月14日(2021.5.14)
【手続補正１】
【補正対象書類名】実用新案登録請求の範囲
【補正対象項目名】請求項３
【補正方法】変更
【補正の内容】
【請求項３】
前記包装用容器は、内容器及び枠材を備えており、
前記内容器の上縁部には、外側に広がり前記枠材の上端部に当接する外縁部が設けてあり、
前記上縁部の隅角部の内側には、上方に突出する突起が設けてあり、
前記枠材は、前記内容器を収容可能であり、
前記蓋の隅角部には、前記拡大周縁部が形成されており、
前記拡大周縁部の上面には、前記突起を収容可能な凸部及び平坦面が設けてあり、
前記枠材は、前記平坦面の上に載置可能である
ことを特徴とする請求項１又は２記載の包装用容器の蓋。